(57)【要約】【課題】組立工程における誤接続の発生を抑制できる電子装置を提供する。【解決手段】本体２と、本体２に収容される電子部材３１、３２と、電子部材３１、３２とそれぞれ接続する端子３３、３４と、本体２に取り付けられて電子部材３１、３２を接続する連絡端子３５と、を具え、本体２は、第１面２３１及びその反対側にある第２面２３２が形成される仕切板２３と、仕切板２３から突起して第１面２３１と共に電子部材３１を収容する第１の凹部２５を形成する連絡壁２１１及び接続壁２２１と、仕切板２３から突起して第２面２３２と共に電子部材３２を収容する第２の凹部２６を形成する連絡壁２１２及び接続壁２２２と、を有し、連絡端子３５は、連絡壁２１１から突出する連絡端部３５１と、連絡壁２１２から突出する連絡端部３５２と、を有し、端子３３、３４は接続壁２２１、２２２にそれぞれ取り付けられる。【選択図】図４
0003207576.tif 000002
【実用新案登録請求の範囲】
【請求項１】
本体と、
前記本体に収容される第１の電子部材及び第２の電子部材と、
前記本体に取り付けられて前記第１の電子部材と電気的に接続する第１の端子と、
前記本体に取り付けられて前記第２の電子部材と電気的に接続する第２の端子と、
前記本体に取り付けられて前記第１の電子部材及び前記第２の電子部材を電気的に接続する連絡端子と、を具えている電子装置であって、
前記本体は、
第１面及び該第１面の反対側にある第２面が形成される略板状の仕切板と、
前記仕切板から前記第１面が面する方向へ突起する第１の連絡壁と、
前記第１の連絡壁と離間し、且つ前記仕切板から前記第１面が面する方向へ突起して前記第１面と共に前記第１の電子部材を収容する第１の凹部を形成する第１の接続壁と、
前記仕切板から前記第２面が面する方向へ突起する第２の連絡壁と、
前記第２の連絡壁と離間し、且つ前記仕切板から前記第２面が面する方向へ突起して前記第２面と共に前記第２の電子部材を収容する第２の凹部を形成する第２の接続壁と、を有しており、
前記連絡端子は、
前記第１の連絡壁が前記仕切板から延伸する先端から突出して前記第１の電子部材と電気的に接続する第１の連絡端部と、
前記第２の連絡壁が前記仕切板から延伸する先端から突出して前記第２の電子部材と電気的に接続する第２の連絡端部と、を両端にそれぞれ有するように、前記第１の連絡壁及び前記第２の連絡壁に取付けられており、
前記第１の端子及び前記第２の端子は、前記第１の接続壁及び前記第２の接続壁にそれぞれ取り付けられていることを特徴とする電子装置。
【請求項２】
前記第１の端子は、
前記第１の接続壁が前記仕切板から延伸する先端から突出して前記第１の電子部材と電気的に接続する第１の接続端部と、
前記第１の接続壁において前記第１の凹部に臨む内壁面の反対側にある外壁面から突出する第１の外接端部と、を有するように、前記第１の接続壁に取付けられており、
前記第２の端子は、
前記第２の接続壁が前記仕切板から延伸する先端から突出して前記第２の電子部材と電気的に接続する第２の接続端部と、
前記第２の接続壁において前記第２の凹部に臨む内壁面の反対側にある外壁面から突出する第２の外接端部と、を有するように、前記第２の接続壁に取付けられていることを特徴とする請求項１に記載の電子装置。
【請求項３】
前記第２の連絡壁は、前記仕切板において前記第１の連絡壁が突起する箇所から、前記第２面が面する方向へ突起しており、
前記第２の接続壁は、前記仕切板において前記第１の接続壁が突起する箇所から、前記第２面が面する方向へ突起しており、
前記本体において前記連絡端子が取り付けられる側を覆って接する上壁と、
前記上壁から前記本体側へ突起すると共に、前記第１の凹部を覆い、且つ前記連絡端子にある前記第１の連絡端部の先端及び前記第１の端子にある前記第１の接続端部の先端のいずれとも接する第１の側壁と、
前記上壁から前記本体へ突起して前記第２の凹部を覆い、且つ前記連絡端子にある前記第２の連絡端部の先端及び前記第２の端子にある前記第２の接続端部の先端のいずれとも接して前記第１の側壁に対応して共に前記本体を挟む第２の側壁と、
前記第１の側壁及び前記第２の側壁からそれぞれ対向するように突起すると共に、前記第１の接続壁の前記外壁面及び前記第２の接続壁の前記外壁面とそれぞれ接し、且つ互いの間に開口があるように形成されている第１の係止突起及び第２の係止突起と、を有し、
前記本体、並びに前記第１の端子、前記第２の端子、及び前記連絡端子を収容すると共に、前記第１の端子にある前記第１の外接端部及び前記第２の端子にある前記第２の外接端部を前記開口から露出させるハウジングを更に具えていることを特徴とする請求項２に記載の電子装置。
【請求項４】
前記連絡端子と前記第１の端子及び前記第２の端子とをそれぞれ２つ具えており、
前記第１の電子部材は、
前記本体の前記第１の凹部に収容される第１のフレームと、
前記第１のフレームの一側に巻き付けられてその両端が各前記第１の端子とそれぞれ電気的に接続する第１の接続リードと、
前記第１のフレームにおいて前記一側とは反対の他側に巻き付けられてその両端が各前記連絡端子の前記第１の連絡端部とそれぞれ電気的に接続する第１の連絡リードと、を有しており、
前記第２の電子部材は、
前記本体の前記第２の凹部に収容される第２のフレームと、
前記第２のフレームの両側にそれぞれ巻き付けられて一端が各前記第２の連絡端部とそれぞれ電気的に接続し、他端が各前記第２の端子とそれぞれ電気的に接続する２つの第２の接続リードと、を有していることを特徴とする請求項１〜請求項３のいずれか一項に記載の電子装置。
【請求項５】
前記連絡端子と前記第１の端子及び前記第２の端子とをそれぞれ２つ具えると共に、前記本体に取り付けられる接地端子を更に具えており、
前記接地端子は、
前記本体の前記第１の連絡壁が前記仕切板から延伸する先端から突出するリード接地端部と、
前記第１の接続壁の前記外壁面または前記第２の接続壁の前記外壁面から突出する外部接地端部と、
前記本体の内部において、前記リード接地端部から前記第１の連絡壁と前記仕切板を経由して前記外部接地端部まで延伸する接地端子内蔵部と、を有しており、
前記第１の電子部材は、
前記本体の前記第１の凹部に収容される第１のフレームと、
前記第１のフレームの一側に巻き付けられてその両端が各前記第１の接続端部とそれぞれ電気的に接続する第１の接続リードと、
前記第１のフレームにおいて前記一側とは反対の他側に巻き付けられていると共に、それぞれの一端が各前記連絡端子の前記第１の連絡端部とそれぞれ電気的に接続し、それぞれの他端がいずれも前記接地端子の前記リード接地端部と電気的に接続する２本の第１の連絡リードと、を有しており、
前記第２の電子部材は、
前記本体の前記第２の凹部に収容される第２のフレームと、
前記第２のフレームの両側にそれぞれ巻き付けられて一端が各前記第２の連絡端部とそれぞれ電気的に接続していると共に、他端が各前記第２の接続端部とそれぞれ電気的に接続される２本の第２の接続リードと、を有していることを特徴とする請求項２または請求項３に記載の電子装置。
【考案の詳細な説明】
【技術分野】
【０００１】
本考案は電子装置に関し、特にろ波機能のある電子装置に関する。
【背景技術】
【０００２】
ろ波機能のある従来の電子装置としては、例えば下記の特許文献１に記載されるものが挙げられる。図１と図２に該特許文献１に記載されるものが示されている。図１は該従来の電子装置１の構成が示されている平面図であり、図示のように、該従来の電子装置１は第１の電子部材１３と第２の電子部材１４を収容すると共に、複数の端子１２１、１２２、１２３、１２４、１２５が取付けられている。そして図２は該従来の電子装置１における第１の電子部材１３と第２の電子部材１４及び各端子１２１、１２２、１２３、１２４、１２５との配線関係が示されている説明図である。
【０００３】
図１と図２に示されているように、該従来の電子装置１は、収容空間１１１を囲むように形成されるケース１１と、ケース１１に取り付けられて２つの第１の端子１２１と２つの第２の端子１２２と２つの連絡端子１２５と第１の接地端子１２４及び第２の接地端子１２３、収容空間１１１内に収容されて各端子１２１、１２２、１２３、１２４、１２５と電気的に接続する第１の電子部材１３及び第２の電子部材１４とを具えている。
【０００４】
第１の電子部材１３は、円環状に形成されて収容空間１１１内に配置される第１のフレーム１３１と、第１のフレーム１３１の一側に巻き付けられて各第１の端子１２１及び第１の接地端子１２４と電気的に接続する第１の接続リード１３２と、第１のフレーム１３１の他の一側に巻き付けられて各連絡端子１２５及び第２の接地端子１２３と電気的に接続する第１の連絡リード１３３と、を有しているので、変圧器として機能できる。なお、第１の接続リード１３２は、２本に分かれており、それらの２本は、それぞれの一端を各第１の端子１２１と電気的に接続し、他端を共に第１の接地端子１２４と電気的に接続している。第１の連絡リード１３３も、２本に分かれており、それらの２本は、それぞれの一端を各連絡端子１２５と電気的に接続し、他端を共に第２の接地端子１２３と電気的に接続している。
【０００５】
一方、第２の電子部材１４は、円環状（なお、図１、図２においては第１のフレーム１３１の向きを９０度変えて縦方向に置くような配置を示している。）に形成されて収容空間１１１内に配置される第２のフレーム１４１と、第２のフレーム１４１における両側にそれぞれ巻き付けられていると共に、それぞれの一端が各連絡端子１２５とそれぞれ電気的に接続し、それぞれの他端が各第２の端子１２２とそれぞれ電気的に接続する２つの第２の接続リード１４２と、を有しているので、チョークコイルとしてろ波の機能を発揮する構成になっている。
【先行技術文献】
【特許文献】
【０００６】
【特許文献１】台湾実用新案登録第Ｍ５０８１０７号
【考案の概要】
【考案が解決しようとする課題】
【０００７】
しかし、上記従来の電子装置１を組み立てる工程においては、第１の電子部材１３及び第２の電子部材１４を１つの収容空間１１１内に収容する上、各電子部材１３、１４の各リード１３２、１３３、１４２を、これらの周辺に配置する８つの端子１２１、１２２、１２３、１２４、１２５とそれぞれ正確に接続する必要があるが、上記のように端子の数が多く且つすべてケース１１の収容空間１１１が開口する側の周壁に配置されているため、作業員がリードを間違えた端子に接続することによって不良品が生成される恐れがある。
【０００８】
上記問題点に鑑みて、本考案は、組立工程における誤接続の発生を抑制できる電子装置の提供を目的とする。
【課題を解決するための手段】
【０００９】
上記目的を達成すべく、本考案の電子装置は、本体と、前記本体に収容される第１の電子部材及び第２の電子部材と、前記本体に取り付けられて前記第１の電子部材と電気的に接続する第１の端子と、前記本体に取り付けられて前記第２の電子部材と電気的に接続する第２の端子と、前記本体に取り付けられて前記第１の電子部材及び前記第２の電子部材を電気的に接続する連絡端子と、を具えている電子装置であって、前記本体は、第１面及び該第１面の反対側にある第２面が形成される略板状の仕切板と、前記仕切板から前記第１面が面する方向へ突起する第１の連絡壁と、前記第１の連絡壁と離間し、且つ前記仕切板から前記第１面が面する方向へ突起して前記第１面と共に前記第１の電子部材を収容する第１の凹部を形成する第１の接続壁と、前記仕切板から前記第２面が面する方向へ突起する第２の連絡壁と、前記第２の連絡壁と離間し、且つ前記仕切板から前記第２面が面する方向へ突起して前記第２面と共に前記第２の電子部材を収容する第２の凹部を形成する第２の接続壁と、を有しており、前記連絡端子は、前記第１の連絡壁が前記仕切板から延伸する先端から突出して前記第１の電子部材と電気的に接続する第１の連絡端部と、前記第２の連絡壁が前記仕切板から延伸する先端から突出して前記第２の電子部材と電気的に接続する第２の連絡端部と、を両端にそれぞれ有するように、前記第１の連絡壁及び前記第２の連絡壁に取付けられており、前記第１及び第２の端子は、前記第１及び第２の接続壁にそれぞれ取り付けられていることを特徴とする電子装置である。
【考案の効果】
【００１０】
上記構成によれば、本考案の電子装置は、前記本体が、前記第１の電子部材を収容する前記第１の凹部と、前記第１の凹部の反対側において前記第２の電子部材を収容する第２の凹部とが形成されており、そして前記第１及び第２の端子がそれぞれ前記第１及び第２の電子部材に対応し、また各前記連絡端子が第１及び第２の連絡端部をそれぞれ前記第１及び第２の電子部材に対応するように前記本体に取り付けられているので、第１の凹部内に収容される第１の電子部材と接続する端子の接続箇所と、第１の凹部の反対側にある第２の凹部内に収容される第２の電子部材と接続する端子の接続箇所と、を前記本体の両側にそれぞれ配置することにより、組立工程において作業員がリードを間違えた端子に接続する確率を抑えることができる。
【図面の簡単な説明】
【００１１】
【図１】従来の電子装置が示されている平面図である。
【図２】従来の電子装置における第１の電子部材と第２の電子部材及び各端子との配線関係が示されている説明図である。
【図３】本考案の電子装置の第１の実施形態が示されている分解斜視図である。
【図４】本考案の電子装置の第１の実施形態が示されている要部断面図である。
【図５】本考案の電子装置の第１の実施形態における配線関係が示されている説明図である。
【図６】本考案の電子装置の第２の実施形態が示されている要部断面図である。
【図７】本考案の電子装置の第２の実施形態における配線関係が示されている説明図である。
【考案を実施するための形態】
【００１２】
以下では図３〜図５を参照しながら、本考案の電子装置を例示する第１の実施形態について詳しく説明する。図３は本考案の第１の実施形態が示されている分解斜視図であり、図４は該第１の実施形態が示されている要部断面図であり、そして図５は該第１の実施形態における配線関係が示されている説明図である。
【００１３】
図３に示されているように、本考案の電子装置は、本体２と、本体２に収容される第１の電子部材３１及び第２の電子部材３２と、本体２に取り付けられて第１の電子部材３１を回路基板９（図４）と電気的に接続することができる複数の第１の端子３３と、本体２に取り付けられて第２の電子部材３２を該回路基板９と電気的に接続することができる複数の第２の端子３４と、本体２に取り付けられて複数の第１の電子部材３１及び複数の第２の電子部材３２を電気的に接続する複数の連絡端子３５と、本体２及び各端子３３、３４、３５を収容するハウジング４と、を具えている。
【００１４】
本体２は、例えばセラミックやプラスチックなどの絶縁体で作成されるもので、第１面２３１（図４）及び該第１面２３１の反対側にある第２面２３２（図４）が形成される略板状の仕切板２３と、仕切板２３から突起する第１及び第２の連絡壁２１１、２１２と第１及び第２の接続壁２２１、２２２と第１及び第２の封止壁２７、２８と、を有している。
【００１５】
図４に示されているように第１の連絡壁２１１は、仕切板２３から第１面２３１が面する方向へ突起しており、そして第２の連絡壁２１２は、仕切板２３において第１の連絡壁２１１が突起する箇所から、第２面２３２が面する方向へ突起している。第１の接続壁２２１は、第１の連絡壁２１１と離間し、且つ仕切板２３から第１面２３１が面する方向へ突起して第１面２３１と共に第１の電子部材３１を収容する第１の凹部２５（図４中の左側）を形成している。一方、第２の接続壁２２２は、仕切板２３において第１の接続壁２２１が突起する箇所から、第２面２３２が面する方向へ突起している。この構成により、第２の接続壁２２２も第２の連絡壁２１２と離間し、且つ仕切板２３において第１の接続壁２２１の反対側から第２面２３２が面する方向へ突起して第２面２３２と共に第２の電子部材３２を収容する第２の凹部２６（図４中の右側）を形成している。また、図３に示されているように第１の封止壁２７は、仕切板２３から第１面２３１が面する方向へ突起し、且つ第１の連絡壁２１１及び第１の接続壁２２１を連接して第１の凹部２５の一端を封止している。一方、第２の封止壁２８は、仕切板２３において第１の封止壁２７の反対側から第２面２３２が面する方向へ突起し、第２の連絡壁２１２及び第２の接続壁２２２を連接して第２の凹部２６の一端を封止している。
【００１６】
各連絡端子３５は、図４に示されているように、第１の連絡壁２１１が仕切板２３から延伸する先端から突出して第１の電子部材３１と電気的に接続する第１の連絡端部３５１と、第２の連絡壁２１２が仕切板２３から延伸する先端から突出して第２の電子部材３２と電気的に接続する第２の連絡端部３５２と、を両端にそれぞれ有するように、第１の連絡壁２１１及び第２の連絡壁２１２に取付けられている。
【００１７】
各第１の端子３３は、第１の接続壁２２１に取り付けられており、そして各第２の端子３４は、第２の接続壁２２２に取り付けられている。各第１の端子３３は、第１の接続壁２２１が仕切板２３から延伸する先端から突出して第１の電子部材３１と電気的に接続する第１の接続端部３３１と、第１の接続壁２２１において第１の凹部２５に臨む内壁面の反対側にある外壁面から突出する第１の外接端部３３２と、を有するように、第１の接続壁２２１に取付けられている。一方、各第２の端子３４は、第２の接続壁２２２が仕切板２３から延伸する先端から突出して第２の電子部材３２と電気的に接続する第２の接続端部３４１と、第２の接続壁２２２において第２の凹部２６に臨む内壁面の反対側にある外壁面から突出する第２の外接端部３４２と、を有するように、第２の接続壁２２２に取付けられている。
【００１８】
図５に示されているように、各第１の電子部材３１は、本体２の第１の凹部２５に収容される第１のフレーム３１１と、第１のフレーム３１１の一側に巻き付けられてその両端が各第１の端子３３とそれぞれ電気的に接続する第１の接続リード３１２と、第１のフレーム３１１において前記一側とは反対の他側に巻き付けられてその両端が各連絡端子３５の第１の連絡端部３５１とそれぞれ電気的に接続する第１の連絡リード３１３と、を有している。この配線によれば、各第１の電子部材３１は変圧器としての機能を発揮できる。一方、各第２の電子部材３２は、本体２の第２の凹部２６に収容される第２のフレーム３２１と、第２のフレーム３２１の両側にそれぞれ巻き付けられて一端が各第２の連絡端部３５２とそれぞれ電気的に接続すると共に、他端が各第２の端子３４とそれぞれ電気的に接続する２つの第２の接続リード３２２と、を有している。そしてこの配線によれば、各第２の電子部材３２はチョークとして、特にコモンモードチョークとしてのろ波機能を発揮できる。
【００１９】
ハウジング４は、図４に示すように、本体２において連絡端子３５が取り付けられる側を覆って接する上壁４３と、上壁４３から本体２側へ突起すると共に、第１の凹部２５を覆いながら、連絡端子３５にある第１の連絡端部３５１の先端及び第１の端子３３にある第１の接続端部３３１の先端のいずれとも接する第１の側壁４１と、上壁４３から本体２側へ突起して第２の凹部２６を覆いながら、連絡端子３５にある第２の連絡端部３５２の先端及び第２の端子３４にある第２の接続端部３４１の先端のいずれとも接して、第１の側壁４１と共に本体２を挟むように設けられた第２の側壁４２と、第１及び第２の側壁４１、４２における上壁４３とは反対側の端部から仕切板２３の方向へ折り曲げられることにより、それぞれの先端が対向するように突起すると共に、第１の接続壁２２１の前記外壁面及び第２の接続壁２２２の前記外壁面とそれぞれ接し、且つ互いの間に開口４０があるように形成されている第１の係止突起４５及び第２の係止突起４６と、を有している。
【００２０】
本考案の電子装置を組み立てる工程においては、図３に示すように、まず各端子３３、３４、３５が取り付けられている本体２に、各第１の電子部材３１を第１の凹部２５内に設置して第１の接続リード３１２を各第１の端子３３にある第１の接続端部３３１と接続し、そして第１の連絡リード３１３を各連絡端子３５にある第１の連絡端部３５１と接続する。一方では、各第２の電子部材３２を第２の凹部２６内に設置し、それらの第２の接続リード３２２を各連絡端子３５にある第２の連絡端部３５２及び各第２の端子３４にある第２の接続端部３４１と接続する。続いては、本体２を、各凹部２５、２６において各封止壁２７、２８とは反対側からハウジング４に差し込むと、各第１及び第２の電子部材３１、３２を本体２及びハウジング４で密封して本考案の電子装置を作成できる。
【００２１】
そして本考案の電子装置は、本体２が、各第１の電子部材３１を収容する第１の凹部２５と、第１の凹部２５の反対側において第２の電子部材３２を収容する第２の凹部２６とが形成されており、更に第１及び第２の端子３３、３４がそれぞれ第１及び第２の電子部材３１、３２に対応し、また各連絡端子３５が第１及び第２の連絡端部３５１、３５２をそれぞれ第１及び第２の電子部材３１、３２に対応するように本体２に取り付けられているので、第１の凹部２５内に収容される各第１の電子部材３１と接続する各第１の端子３３の接続箇所である第１の接続端部３３１と、仕切板２３を介して第１の凹部２５の反対側にある第２の凹部２６内に収容される第２の電子部材３２と接続する各第２の端子３４の接続箇所である第２の接続端部３４１と、を本体２の両側にそれぞれ配置することにより、組立工程において作業員がリードを間違えた端子に接続する確率を抑えることができる。
【００２２】
また、図４に示されているように、作成された本考案の電子装置は、各第１の端子３３の第１の外接端部３３２と各第２の端子３４の第２の外接端部３４２を、いずれも回路基板９に設けられる各スルーホール９１に差し込むと、該回路基板９の電気回路（図示せず）と電気的に接続することができる。なお、本実施形態における各第１の端子３３の第１の外接端部３３２と各第２の端子３４の第２の外接端部３４２は、真っ直ぐに延伸するように形成されているが、例えば所定の電気接続点を有する例えば表面実装の回路基板に応じて湾曲するように適宜変更されることも可能である。
【００２３】
以下、図６と図７を参照しながら、本考案の電子装置を例示する第２の実施形態について詳しく説明する。図６は本考案の第２の実施形態が示されている要部断面図であり、図７は本考案の第２の実施形態における配線関係が示されている説明図である。
【００２４】
本考案の第２の実施形態は、前記第１の実施形態と多く共通しているが、本体２に取り付けられる接地端子３６を更に具えており、そして第１の電子部材３１ａにある第１の連絡リード３１３ａが２本に分かれることにおいて異なっている。
【００２５】
図６に示されているように接地端子３６は、本体２の第１の連絡壁２１１が仕切板２３から延伸する先端から突出するリード接地端部３６１と、第２の接続壁２２２の前記外壁面から突出する外部接地端部３６２と、本体２の内部において、リード接地端部３６１から第１の連絡壁２１１と仕切板２３の内部を経由して外部接地端部３６２まで延伸する接地端子内蔵部３６３と、を有している。
【００２６】
そして、図７に示されているように２本の第１の連絡リード３１３ａは、第１のフレーム３１１における前記他側に巻き付けられながら、それぞれの一端が各連絡端子３５の第１の連絡端部３５１とそれぞれ電気的に接続すると共に、それぞれの他端がいずれも接地端子３６のリード接地端部３６１と電気的に接続している。この構造によれば、本考案の電子装置は、接地効果が付加され、回路基板９ａと接続する際にその電気回路の安定性や安全性などを上昇させることができる。なお、本実施形態に制限されず、接地端子３６の外部接地端部３６２は、回路基板９ａと電気的に接続できれば、例えば本体２の第１の接続壁２２１の前記外壁面から突出するように適宜変更することも可能である。
【００２７】
以上の各実施形態によれば、本考案の電子装置は、本体２が、第１の電子部材３１を収容する第１の凹部２５と、仕切板２３を介して第１の凹部２５の反対側において第２の電子部材３２を収容する第２の凹部２６とが形成され、そして第１の端子３３が第１の凹部２５にある第１の電子部材３１に対応し、第２の端子３４が第２の凹部２６にある第２の電子部材３２に対応し、また連絡端子３５が両端３５１、３５２をそれぞれ第１及び第２の電子部材３１、３２に対応するように本体２に取り付けられるため、組立工程において作業員がリードを間違えた端子に接続する確率を抑制できる。
【００２８】
以上、本考案の好ましい実施形態を説明したが、本考案はこれに限定されるものではなく、その要旨を逸脱しない範囲で種々変更可能である。
【産業上の利用可能性】
【００２９】
上記構成によれば、本考案の電子装置は誤接続による不良品の多発を抑えられる設計になっているので、製造コストを節約することができる。
【符号の説明】
【００３０】
２                本体
２１１            第１の連絡壁
２１２            第２の連絡壁
２２１            第１の接続壁
２２２            第２の接続壁
２３              仕切板
２３１            第１面
２３２            第２面
２５              第１の凹部
２６              第２の凹部
２７              第１の封止壁
２８              第２の封止壁
３１、３１ａ      第１の電子部材
３１１            第１のフレーム
３１２            第１の接続リード
３１３、３１３ａ  第１の連絡リード
３２              第２の電子部材
３２１            第２のフレーム
３２２            第２の接続リード
３３              第１の端子
３３１            第１の接続端部
３３２            第１の外接端部
３４              第２の端子
３４１            第２の接続端部
３４２            第２の外接端部
３５              連絡端子
３５１            第１の連絡端部
３５２            第２の連絡端部
３６              接地端子
３６１            リード接地端部
３６２            外部接地端部
３６３            接地端子内蔵部
４                ハウジング
４０              開口
４１              第１の側壁
４２              第２の側壁
４３              上壁
４５              第１の係止突起
４６              第２の係止突起
９、９ａ          回路基板
９１              スルーホール
【図１】
0003207576.tif 000003
【図２】
0003207576.tif 000004
【図３】
0003207576.tif 000005
【図４】
0003207576.tif 000006
【図５】
0003207576.tif 000007
【図６】
0003207576.tif 000008
【図７】
0003207576.tif 000009